(57)【要約】【課題】広告を視聴してほしい視聴者のグループを揃えるために、現在グループに不足している視聴者を揃えることを促進するメッセージを出力して、広告に好適な視聴者を揃える技術を提供する。【解決手段】  出力されている広告を視聴している１人以上の視聴者各々の特徴を示す特徴情報を取得し、該取得された特徴情報を基に第２の属性情報を生成する視聴者属性認識部と、第２の属性情報と第１の属性情報とを比較し、第２の属性情報が第１の属性情報を全て含むか否かを判定する属性条件判定部と、第２の属性情報が第１の属性情報を全て含むものではないと判定したとき、第１の属性情報には含まれ、第２の属性情報に含まれない視聴者各々の第３の属性情報を選択し、視聴者に通知する視聴指示部と、第２の属性情報が第１の属性情報を全て含むと判定したとき、第１の属性情報に対応付けて記録されている広告情報を出力する、を備える広告装置である。【選択図】図２
2011215369.tif 000002
【特許請求の範囲】
【請求項１】
広告情報と、前記広告情報を一緒に視聴させたい複数の視聴者各々の特徴を示す第１の属性情報とを、関連付けて記録している記録部と、
出力部から出力されている広告を視聴している１人以上の視聴者各々の特徴を示す特徴情報を取得して該取得された特徴情報を基に第２の属性情報を生成する視聴者属性認識部と、
前記第２の属性情報と、前記第１の属性情報とを比較し、前記第２の属性情報が前記第１の属性情報を全て含むか否かを判定する属性条件判定部と、
前記第２の属性情報が前記第１の属性情報を全て含むものではないと判定したとき、前記第１の属性情報に含まれ、前記第２の属性情報に含まれない視聴者各々の第３の属性情報を選択し、前記視聴者に通知する視聴指示部と、
前記第２の属性情報が前記第１の属性情報を全て含むと判定したとき、前記第１の属性情報に対応付けて前記記録部に記録されている前記広告情報を出力する前記出力部と、
を備えることを特徴とする広告装置。
【請求項２】
前記視聴者属性認識部は、
前記第２の属性情報が前記第１の属性情報を全て含むものではないと判定したとき、取得した特徴情報を前記記録部に更に記録し、
前記視聴者属性認識部により取得された、前記出力部を視聴している１人以上の視聴者各々の特徴を示す特徴情報のうち少なくとも１つが前記記録部に記録されており、かつ、前記属性条件判定部により、前記視聴者属性認識部により取得された前記出力部を視聴している１人以上の視聴者各々の特徴を示す特徴情報から生成された第２の属性情報が前記特徴情報を全て含むと判定された場合、該視聴者に有益な情報を生成して、前記視聴者に通知する、
ことを特徴とする請求項１に記載の広告装置。
【請求項３】
前記視聴指示部は、
前記第２の属性情報と、前記第３の属性情報とを区別して前記視聴者に通知する、
ことを特徴とする請求項１に記載の広告装置。
【請求項４】
前記視聴指示部は、
前記満たした場合、前記対象の広告を視聴している同じグループの複数の視聴者に特定の動作を指示する情報を生成して前記出力部に通知し、
前記特定の動作を指示する情報が前記出力部に表示された後、前記グループの前記視聴者各々に前記特定の動作を認識するグループ確認部から、前記特定の動作を認識したことを示す情報を取得したとき、前記視聴者に有益な情報を生成して有益情報出力部に通知し、
前記有益情報出力部が、前記グループの視聴者に前記視聴者に有益な情報を提供する、
ことを特徴とする請求項１〜３のいずれか１つに記載の広告装置。
【請求項５】
前記視聴指示部は、前記第３の属性情報を用いて、出力部に出力する指示メッセージを生成することを特徴とする請求項４に記載の広告装置。
【請求項６】
広告情報と、前記広告情報を一緒に視聴させたい複数の視聴者各々の特徴を示す第１の属性情報とを、関連付けて記録し、
出力部から出力されている広告を視聴している１人以上の視聴者各々の特徴を示す特徴情報を取得して、該取得された特徴情報を基に第２の属性情報を生成し、
前記第２の属性情報と、前記第１の属性情報とを比較し、前記第２の属性情報が前記第１の属性情報を全て含むか否かを判定し、
前記第２の属性情報が前記第１の属性情報を全て含むものではないと判定したとき、前記前記第１の属性情報に含まれ、前記第２の属性情報に含まれない視聴者各々の第３の属性情報を選択し、前記視聴者に通知し、
前記第２の属性情報が前記第１の属性情報を全て含むと判定したとき、前記第１の属性情報に対応付けて前記記録部に記録されている前記広告情報を出力する、
ことを特徴とするコンピュータにより実行する広告方法。
【請求項７】
コンピュータに、
広告情報と、前記広告情報を一緒に視聴させたい複数の視聴者各々の特徴を示す第１の属性情報とを、関連付けて記録する処理と、
出力部から出力されている広告を視聴している１人以上の視聴者各々の特徴を示す特徴情報を取得して、該取得された特徴情報を基に第２の属性情報を生成する処理と、
前記第２の属性情報と、前記第１の属性情報とを比較し、前記第２の属性情報が前記第１の属性情報を全て含むか否かを判定する処理と、
前記第２の属性情報が前記第１の属性情報を全て含むものではないと判定したとき、前記前記第１の属性情報に含まれ、前記第２の属性情報に含まれない視聴者各々の第３の属性情報を選択し、前記視聴者に通知する処理と、
前記第２の属性情報が前記第１の属性情報を全て含むと判定したとき、前記第１の属性情報に対応付けて前記記録部に記録されている前記広告情報を出力する処理と、
を実行させることを特徴とする広告出力プログラム。
【発明の詳細な説明】
【技術分野】
【０００１】
本発明は、広告を出力する広告装置、広告方法および広告出力プログラムに関する。
【背景技術】
【０００２】
従来、不特定多数の人々に提供する、広告などの情報は表示装置などを用いて表示されたり、スピーカから音声出力されたりする形態が主である。しかし、上記のような情報提供の形態は、広告に興味を示した人達が、意識的に視聴しているだけであり、興味がない人達はその広告に注意を向けることはなく、仮に目や耳に入ることがあってもその内容の認識度は高くない。
【０００３】
そこで、広告を多くの人達に視聴してもらうための技術として次のような提案がされている。例えば、カメラなどの画像入力手段により撮影した画像に写っている人物を検出して、その人物の属性を判定し、その人物に適した広告を、表示板や、街頭、ショッピングモール、デパートに設置された案内板に出力する、インタラクティブ表示装置が知られている。
【０００４】
また、広告に関し、広告した求人に対し定員不足が生じた場合に追加募集を容易に行うための技術が知られている。この技術では、特定した参加確定者の人数を処理対象の求人条件に関連付けられた募集定員と比較し、定員不足を判定する。この定員不足判定により対象の求人条件についての定員が不足すると判定された場合、当該処理対象の求人条件を関連付けた追加募集表示情報を作成し、当該追加募集表示情報の提供を要求してきた求職者に対し当該追加募集表示情報を、通信手段を介して送信する。さらに、追加募集表示情報を受信した求職者から当該追加募集表示情報に含まれる求職条件と関連付けられた追加応募データを受信し、当該追加応募データを送信してきた求職者を処理対象の求人条件への参加確定者としてマークする。
【０００５】
また、顧客の店舗来店時、顧客が個人だけの来店なのか、グループでの来店なのかを判定し、顧客の来店形態及び顧客の属性に応じた効果的な広告を顧客に通知する技術が知られている。この技術では、まず店舗は顧客の会員登録及び会員家族の家族会員登録を行い、それぞれの会員識別情報を記録したRadio Frequency Identification（ＲＦＩＤ）タグ付き会員カードを予め配布する。次に、顧客の店舗来店時、店舗の入り口付近に、会員カードのＲＦＩＤタグを検知する手段を設けて、該顧客の会員番号を取得し、会員本人及びグループ家族のそれぞれの来店が所定時間内であるかにより、来店が個人かグループ（家族など）かを判定する。その上で、顧客の来店形態及び顧客の属性に応じた広告／販売促進メッセージを端末に表示する。また、Point Of Sale（ＰＯＳ）端末にも会員カードのＲＦＩＤタグを検知する手段を設けて、該売場の販売促進メッセージを該顧客に表示する。
【先行技術文献】
【特許文献】
【０００６】
【特許文献１】特開２０００−１０５５８３号公報
【特許文献２】特開２００４−０３０４７７号公報
【特許文献３】特開２００６−１１３８１９号公報
【発明の概要】
【発明が解決しようとする課題】
【０００７】
本発明は上記のような実情に鑑みてなされたものであり、広告を一緒に視聴してほしい視聴者のグループを揃えるために、現在グループに不足している視聴者を揃えることを促進するメッセージを出力して、広告に好適な視聴者を揃える技術を提供することを目的とする。
【課題を解決するための手段】
【０００８】
実施の態様のひとつである広告装置は、記録部、属性認識部、属性条件判定部、視聴指示部、出力部を備えている。
記録部は、広告情報と、上記広告情報を一緒に視聴させたい複数の視聴者各々の特徴を示す第１の属性情報とを、関連付けて記録している。
【０００９】
視聴者属性認識部は、出力部から出力されている広告を視聴している１人以上の視聴者各々の特徴を示す特徴情報を取得して該取得された特徴情報を基に第２の属性情報を生成する。
【００１０】
属性条件判定部は、上記第２の属性情報と、上記第１の属性情報とを比較し、上記第２の属性情報が上記第１の属性情報を全て含むか否かを判定する。
視聴指示部は、上記第２の属性情報が上記第１の属性情報を全て含むものではないと判定したとき、上記第１の属性情報に含まれ、上記第２の属性情報に含まれない視聴者各々の第３の属性情報を選択し、上記視聴者に通知する。
【００１１】
上記出力部は、上記第２の属性情報が上記第１の属性情報を全て含むと判定したとき、上記第１の属性情報に対応付けて上記記録部に記録されている上記広告情報を出力する。
【発明の効果】
【００１２】
実施の態様によれば、広告の視聴を促進させるメッセージを視聴者に提示することにより、該広告の好適な視聴者を増加させることができるという効果を奏する。
【図面の簡単な説明】
【００１３】
【図１】実施形態１の広告装置の一実施例を示す図である。
【図２】広告装置の構成の一実施例を示す図である。
【図３】属性情報テーブルのデータ構造の一実施例を示す図である。
【図４】Ａは広告テーブルのデータ構造の一実施例について説明する図、ＢはＰＯＳデータテーブルのデータ構造の一実施例について説明する図、Ｃは商品−広告テーブルのデータ構造の一実施例について説明する図である。
【図５】広告装置の一実施例を示す図である。
【図６】実施形態２の一実施例を示すフロー図である。
【図７】「条件状態表示イメージ」「指示メッセージ」の一実施例を示す図である。
【図８】グループ確認テーブルのデータ構造の一実施例を示す図である。
【図９】実施形態３の一実施例を示すフロー図である。
【図１０】実施形態４の一実施例を示すフロー図である。
【図１１】実施形態４の広告テーブルのデータ構造の一実施例を示す図である。
【図１２】「条件状態表示イメージ」「指示メッセージ」の一実施例を示す図である。
【図１３】実施形態５の一実施例を示すフロー図である。
【図１４】出力部が表示を初期化する際に表示する画面の一実施例を示す図である。
【図１５】Ａは成立条件を満たすために視聴者を集める際に表示する画面の一実施例を示す図、Ｂは成立条件が満たされた場合に表示する画面の一実施例を示す図である。
【図１６】成立条件を満たすために視聴者を集める際に表示する画面の一実施例を示す図である。
【図１７】Ａは成立条件を満たすために視聴者を集める際に表示する画面の一実施例を示す図、Ｂは成立条件を満たすために視聴者を集める際に表示する画面の一実施例を示す図である。
【図１８】コンピュータのハードウェア構成の一実施例を示す図である。
【発明を実施するための形態】
【００１４】
以下図面に基づいて、本発明の実施形態について詳細を説明する。
実施形態１について説明する。
図１は、広告装置の一実施例を示す図である。図１の広告装置は、入力部１、制御部２、出力部３、出力部４を備えている。
【００１５】
入力部１は、視聴者の属性（例えば、性別、年齢など）を判別可能な、視聴者の特徴に関する特徴データを取得するために設置される装置であり、例えば、カメラ、ビデオカメラ、赤外線カメラ、暗視カメラなど、静止画像または動画像を取得する画像撮影装置が考えられる。また、例えば、広告装置の視聴者が所持する記憶媒体に記憶されたこの視聴者の特徴データを取得する接触型或いは非接触型の記憶媒体読取装置や、視聴者の声を取得するマイク、その他視聴者の特徴データを取得可能なセンサなどにより構成しても良い。
【００１６】
また、本実施形態では入力部１が静止画像を特徴データとして取得する場合には、予め設定した間隔で撮影することが考えられる。ただし、撮影方法、画像データの取得方法を限定するものではない。また、入力部１の設置位置は図１に示す場所に限定されるものではない。また、これらの任意の装置を任意の数組み合わせて設置してもよい。
【００１７】
制御部２は、後述する処理部２１と記録部２６を備えている。そして、処理部２１は、属性認識部２２、属性条件判定部２３、視聴指示部２４、グループ認識部２５などを備えている。また、制御部２は広告装置を制御する。なお、制御部２の機能は、Central Processing Unit（ＣＰＵ）やプログラマブルなデバイス（Field Programmable Gate Array（ＦＰＧＡ）、Programmable Logic Device（ＰＬＤ）など）を用いて実現してもよい。また、制御部２は、入力部１から取得した入力データを基に出力部３から出力されている広告を視聴している人がいるか否かを判定して、視聴者がいない場合にその入力データを破棄してもよい。
【００１８】
視聴者がいるか否かの判定は、視聴者が予め設定された時間以上広告を視聴しているか否かにより判定することが考えられる。例えば、図１に示すように出力部３の前の人１００、１０１、１０２のうち、予め設定された時間以上連続して入力部１により同じ特徴データが取得された場合に視聴者がいると判定する。また、入力部３が画像撮像装置である場合には、出力部３に対する顔の向き、視線の方向などにより出力部３から出力される広告を視聴している人がいるか否かを判定してもよい。例えば、図１の場合であれば、人１０１を出力部３から出力される広告を視聴している人であると判定しても良い。また、例えば、特徴データが声である場合には、人間の声の周波数帯の中で、一定以上の音量を検出した場合に出力部から出力される広告を視聴している人がいると判定してもよい。
【００１９】
出力部３は、広告を出力するための出力装置であり、例えば、液晶モニタ、掲示板（電光、電子ペーパなどを用いたものでもよい）、スピーカなどの少なくともいずれかが制御部２に接続されている。なお、出力部３は、広告内容を変更して出力できるものであれば限定するものではない。また、後述する成立条件を満たしたとき、視聴者に見せたい広告を出力する。
【００２０】
出力部４（有益情報出力部）は、視聴者に有益な情報を提供する装置であり、例えば、クーポンの発券などの発券装置、視聴者の特徴情報を記憶した記憶媒体を備えた、例えば携帯電話やＰＤＡなどの情報端末に対し通信で情報を提供する装置、プリンタなどが制御部２に接続されている。有益な情報とは、広告を視聴していると判定した人だけに提供する情報であり、バーゲンセール、割引、クーポン、特典画像などの情報である。なお、上記出力部３を出力部４として兼用しても良い。
【００２１】
図２は、広告装置の入力部１、制御部２、出力部３関係の一実施例を示す図である。制御部２は、入力部１から出力されたデータを取得し、該データに基づいて、視聴者に提供するメッセージを生成して出力部３に出力する。
【００２２】
属性認識部２２は、入力部１から取得したデータを処理して属性条件判定部２３へ出力する。例えば、属性認識部２２は、入力部１がビデオカメラの場合、画像データ（ビデオ信号などに含まれる信号）を受信して画像認識処理をする。画像認識処理は、例えば、動いている物体と、固定されている物体を判別する処理や、画像情報に含まれる人を人画像認識処理などにより検出する処理である。また、画像認識処理は、出力部３に表示されている対象の広告を一定時間以上視聴している１人以上の人を認識する。例えば、顔画像認識処理などの技術を用いて、認識した人各々の特徴を判定して、認識した人の中から視聴者を検出する。例えば、顔や目が出力部３に向いていることを検出する。
【００２３】
また、画像認識処理は、出力部３を視聴している人なのか、ただ通り過ぎようとしている人なのかを認識する処理や、人の数を計数する処理を行う。該処理を行う場合、例えば、視聴者を認識したい領域の上方から真下を撮影するカメラを用いて撮影した画像データを用いる方法や、複数のカメラを用いる方法や、パン・ティルト・ズーム機能を持つカメラ（ＰＴＺカメラ）を用いる方法などがある。視聴者を領域の上方から真下を撮影するカメラを用いる方法としては、例えば、特開平６−２２３１５７号公報に記載されている方法がある。この方法では、天井などにカメラを真下に向けて設置して、撮影される映像の変化を画像処理により認識し、この変化を通過した人物として検出する。これにより、カメラと通路とが正対しているため、通過した人のみを撮影することができる。また、人が歩いてくる方向に向けて斜めから撮影する場合のように、奥行き方向に別の人が映ることがなく、通過する人物を一人ずつ区別して正しく検出することができる。ただし、視聴している人なのか、ただ通り過ぎようとしている人なのかを認識する処理は、上記技術に限定されるものではない。
【００２４】
また、複数のカメラを用いる方法としては、例えば、特開平９−５４８９４号公報に記載されている方法がある。この方法では、真下のみではなく、人物が歩いてくる方向にもカメラを設置して、通過する人物の顔も認識する。これにより、通過する人物の計数のみではなく、通過した人物の顔映像の取得および認識を行うことができる。ただし、複数のカメラを用いる方法は上記技術に限定されるものではない。
【００２５】
また、ＰＴＺカメラを用いる方法としては、例えば、特開平１０−１８８１４５号公報に記載されている方法がある。この方法では、広く撮影した映像の中から通過する人物を検出し、検出した位置にカメラをパン・ティルト・ズームすることで、人物の顔映像の取得、認識を行う。これにより、１台のカメラで人物の検出（計数）と顔映像の取得、認識を行うことができる。ただし、ＰＴＺカメラを用いる方法は上記技術に限定されるものではない。
【００２６】
また、人画像認識処理と顔画像認識処理では、まず予め複数の人や顔に関するサンプル画像データを記録部２６などに記録する。サンプル画像データは、人であるか、身長、体形、顔、性別、年齢、子供、大人など属性を判定するために用いる画像データである。次に、サンプル画像データを用いて学習処理を行う。例えば、サンプル画像データにフィルタ処理などを施して、ピクセルのデータ列からデータ列（特徴量を示すデータ）へと変換をする。そして、複数の変換されたデータの中から共通のパターンなどを抽出して記録する。認識処理では、入力部１により撮影した画像データにフィルタ処理などを施して、ピクセルのデータ列からデータ列（特徴量を示すデータ）へと変換をする。そして、上記記録した共通のパターンなどを用いて、認識処理により求めたデータ列に共通のパターンがあるか否かを解析する。この解析により学習したデータ以外の未知のデータが入力されても、人であること、顔であることの判定ができる。また、同一人物であるかの判定においては、予め記録した画像の特徴量と入力された画像データの特徴量との距離を計算して、この距離に基づいて、同一人物であるか否かを判定することができる。
【００２７】
なお、上記説明した人画像認識処理と顔画像認識処理は、例えば、人認識および顔認識を行う機能を備えた、専用のデバイス（integrated circuit（ＩＣ）など）、専用のソフトウェアを用いて行うことが考えられる。
【００２８】
次に、属性認識部２２は、人画像認識処理や顔画像認識処理の技術などを用いて、広告を視聴している視聴者各々の属性を検出する。
また、入力部１が記憶媒体読取装置である場合には、予め定められた時間内に記憶媒体読取装置により記憶媒体から読み取られた１以上の特徴データ毎にこの特徴データに含まれる属性データを検出したり、図示しない外部のデータベースにアクセスし、この１以上の特徴データに対応付けてデータベースに記憶された属性データを取得したりするよう構成しても良い。
【００２９】
また、入力部がマイクである場合には、予め定められた時間内にマイクにより取得された音声を解析し、声紋から属性を検出するよう構成しても良い。また、その他の特徴データを取得可能なセンサにより予め定められた時間内に取得されたセンシングデータを基に属性を検出するよう構成してもよい。
【００３０】
次に、各々の属性情報（属性情報テーブル）を生成する。
例えば、属性情報は、画像撮影日時、グループの識別子、視聴者の識別子、属性が関連付けられて記録される。図３に示す例では、属性情報は、「画像撮影日時」「グループ識別子」「視聴者識別子」「属性１（性別）」「属性情報２（年齢）」「属性情報３（眼鏡）」を有している。「画像撮影日時」は画像を撮影した日時が記録されている。本例では、「２００９／０３／０３／１０：２０」「２００９／０３／０３／１１：２１」「２００９／０３／０３／１２：００」「２００９／０３／０３／１０：２５」・・・・が記録されている。「グループ識別子」は、視聴者が同じグループであると判定された場合に、同じグループの視聴者に同一のグループ識別子を付する。本例では「Ｇ１」「Ｇ２」「Ｇ３」「Ｇ４」・・・・が記録されている。「視聴者識別子」は視聴者の識別子が記録されている。本例では、「ＩＤ１」「ＩＤ２」「ＩＤ３」「ＩＤ４」「ＩＤ５」「ＩＤ６」「ＩＤ７」・・・・が記録されている。「属性１（性別）」には人画像認識処理や顔画像認識処理技術などを用いて判定した視聴者の性別が記録されている。本例では、「男」「女」「女」「男」「女」「女」「女」・・・・が記録されている。「属性情報２（年齢）」には人画像認識処理や顔画像認識処理技術などを用いて判定した視聴者の年齢が記録されている。本例では、「老人」「子供」「子供」「老人」「子供」「中年」「若者」・・・・が記録されている。本例では、「子供」「若者」「中年」「老人」しか記載していないが、例えば、「５歳〜１０歳」「１１歳〜２０歳」「２０歳〜３０歳」・・・「４０歳〜５０歳」のように細かく年齢を設定してもよい。「属性情報３（眼鏡）」には人画像認識処理や顔画像認識処理技術などを用いて判定した視聴者が眼鏡をしているか否かが記録されている。本例では、眼鏡をしていないと判定された場合「なし」また、眼鏡をしていると判定された場合「あり」と記録される。なお、視聴者が持っている動物、品物などを検出して属性情報を生成してもよい。
【００３１】
また、図３の属性情報テーブルでは、同じ画像（撮影日時が同じ）に写っている視聴者を同じグループにして記録している。また、同じ画像に写っていても、図１に示すように人１００、人１０２のように出力部３に表示されている広告を見ていないと判定された場合には、視聴者として属性情報テーブルには記録されない。また、出力部３が小さいディスプレイであるときに、同じグループであるかを判定する際には、視聴者同士が接近していると考えられるため、同じ画像に写っている場合は同じグループであると判定してもよい。しかし、出力部３が大きいディスプレイであるときに、同時に同じ広告を視聴している個人、複数のグループが存在する。そのような場合には、視聴者間の距離を判定して閾値以上離れている視聴者は違うグループであると判定することが望ましい。また、一定時間以上経過した後に、属性情報テーブルに記録された該視聴者が広告を視聴していない場合には、属性情報テーブルに記録した該視聴者のデータを削除してもよい。
【００３２】
属性条件判定部２３は、属性認識部２２で生成した広告の視聴者の属性情報が、対象の広告に関連付けられている成立条件に含まれる属性情報を満足しているか否かを判定する。
【００３３】
視聴指示部２４は、広告の視聴者の属性情報が対象の広告の成立条件に関連付けられている属性情報の一部しか含まない場合、該広告の視聴者の属性情報が成立条件を満足させるために後述する視聴指示情報を生成して、出力部３に通知する。ここで、成立条件とは記録部２６に記録されており、複数の広告各々に対応付けられている広告情報（表示する広告の内容）と、視聴させたい視聴者の特徴を示す属性情報を関連付けた情報である。例えば、広告Ａを視聴してもらいたい人達が、老人で男（例えば、おじいさん）、子供で女または男（例えば、おじいさんの孫）、中年で女（例えば、孫のお母さん）のグループであるとき、該広告情報に、属性情報として老人で男、子供で女または男、中年で女をそれぞれ関連付けることが考えられる。
【００３４】
視聴指示情報は、広告の視聴者の属性情報が成立条件を満足するように、視聴者に成立条件を満足する属性の人を集めることを促進する表示である。例えば、広告に対応付けられている成立条件が、老人で男（例えば、おじいさん）、子供で女または男（おじいさんの孫）、中年で女（孫のお母さん）であるとき、視聴者が孫とお母さんしかいなければ、おじいさんを呼んでくるように視聴者に促す視聴指示情報を生成する。このとき、視聴指示情報を表示する前に、視聴者に「親子ですか？」などの問かけをするメッセージを出力部３に表示して視聴者に確認を取ることが考えられる。その際に、表示内容が正しければ所定の動作をしてもらい、後述するグループ確認の処理により所定の動作が確認できたとき、視聴指示情報を出力してもよい。すなわち、上記の現在の視聴者のグループ（子供で女、中年で女）が、お母さんと子供であることを明確にしてから、おじいさんを呼ぶようにすることで、視聴者を集める精度を向上することができる。
【００３５】
また、視聴指示部２４は、成立条件を満たした場合、対象の広告を視聴している同じグループの複数の視聴者に特定の動作を指示する情報を生成して出力部３に通知する。さらに、視聴指示部２４は、グループの視聴者各々の所定の動作を認識する後述するグループ確認部２５から、所定の動作を認識したことを示す情報を取得したとき、視聴者に有益な情報を生成して出力部３に通知する。
【００３６】
グループ確認部２５は、入力部１が画像撮像装置である場合には、入力部から入力された画像データを、属性認識部２２を介して取得して、該画像データに所定の動作をしている視聴者が写っているか否かを判定して、判定結果を視聴指示部２４に通知する。ここで、所定の動作とは、例えば、視聴者が行うＶサインや万歳などのジェスチャである。
【００３７】
なお、上記説明したグループ確認処理は、例えば、動作認識を行う機能を備えた、専用のデバイス（ＩＣなど）、専用のソフトウェアを用いて行うことが考えられる。また、グループ確認処理だけでなく、人画像認識処理、顔画像認識処理の技術を利用してもよい。
【００３８】
例えば、画像撮像装置により取得された画像データを、タッチパネルを備えた表示装置である出力部３に出力し、予め定められた時間内に選択された顔画像を同じグループとして判定してもよい。
【００３９】
更に、入力部１が記憶媒体読取装置やマイクである場合には、予め定められた時間内に取得した複数の特徴データを同じグループと判定しても良い。
記録部２６は、属性情報テーブル（図３参照）、広告テーブル（図４のＡ参照）、ＰＯＳデータテーブル（図４のＢ参照）、商品−広告テーブル（図４のＣ参照）、動作（ジェスチャなど）を指示する際に用いる動作認識テーブル（図８参照）などを記録している。また、記録部２６はプログラム、テーブル、データなどが記録されている。なお、記録部２６は、例えばRead Only Member（ＲＯＭ）、Random Access Memory（ＲＡＭ）、ハードディスクなどのメモリである。また、記録部２６は、パラメータ値、変数値などのデータを記録してもよいし、ワークエリアとして用いてもよい。
【００４０】
図４を用いて広告テーブル、ＰＯＳデータテーブル、商品−広告テーブルのデータ構造の一実施例について説明する。広告テーブルは、少なくとも出力部３に表示する広告と、該広告に関連付けられる成立条件が記録されている。図４のＡに示す広告テーブルでは、「広告識別子」「広告内容」「成立条件」「第１の有益情報」「第２の有益情報」を有している。「広告識別子」には広告を識別するための情報が記録され、例えば、「広告ＩＤ１」「広告ＩＤ２」・・・が記録されている。「広告内容」には、出力部３に表示される広告の内容（データ）が記録されている。例えば、「広告データ１（ランドセルの広告）」「広告データ２（机の広告）」・・・が記録されている。本例では、便宜上（ランドセルの広告）（机の広告）が記載されているが実際には記録されていない。「成立条件」には、広告を見てほしい人の属性が記録されている。本例では、広告を見てほしい視聴者のグループとして「子供１人、大人１人、老人１人」「子供１人、大人２人、老人２人」・・・が記録されている。本例では、便宜上「子供１人、大人１人、老人１人」と記載しているが、成立条件をさらに「子供」「大人」（例えば２０〜５０代）「老人」に分け、それぞれに対して人数として「１」「１」「１」を割り付けることが望ましい（「１」は一人を示す）。また、さらに、「子供」を「１０代」までの「女」「男」に分け、「大人」を「２０代」「３０代」「４０代」「５０代」のそれぞれ「女」「男」に分け、「老人」を「６０代」「７０代」「８０代以上」のそれぞれ「女」「男」に分けてもよい。成立条件は広告の種類によって適切な視聴者を選択することが望ましい。例えば、「広告識別子」に関連付けて、成立条件として「属性情報１（性別）」「属性情報２（年齢）」「属性情報３（眼鏡）」などの項目を用意する。そして、「属性情報１（性別）」に「女」「男」、「属性情報２（年齢）」に「子供」「若者」「中年」「老人」、「属性情報３（眼鏡）」に「あり」「なし」などの情報を記録することが望ましい。「第１の有益情報」は、視聴者が表示された指示に従い成立条件に沿った視聴者を集めたときに、その視聴者に提供される情報である。例えば、「クーポン３０％」「商品券」・・・などを視聴者に提供するための情報が記録されている。また、「第２の有益情報」には、「第１の有益情報」よりも有益ではない情報が記録されている。例えば、「クーポン５％」「クーポン１０％」・・・が記録されている。
【００４１】
図４のＢのＰＯＳデータテーブルは、記録部２６に必ずしも記録する必要はないが、上記広告テーブルの成立条件を生成するために用いるテーブルである。ＰＯＳデータテーブルには、例えば、ある商品を購入した際にその商品をどのようなグループが購入したかが記録されている。本例では、ＰＯＳデータテーブルは、「商品」「購入グループ」を有し、「商品」には、「ランドセル」「机」・・・が記録されている。「購入グループ」には、「子供、母親、祖父」「子供、両親、祖父母」・・・が記録されている。図４のＣの商品−広告テーブルは、上記広告テーブルの広告内容が商品に関連付けられて記録されているテーブルである。本例では、「商品」「広告」を有し、「商品」には、「ランドセル」「机」・・・が記録されている。「広告」には、「広告データ１」「広告データ２」・・・が記録されている。なお、図４のＢの「購入グループ」の情報は図４のＡの「成立条件」の情報を生成するために用いられ（矢印４１）、図４のＢの「広告」の情報は図４のＡの「広告内容」の情報であり（矢印４２）、図４のＢの「商品」は図４のＣの「商品」の情報である。
【００４２】
次に広告装置の動作について説明する。
図５は、広告装置の一実施例を示す図である。図５のステップＳ１で属性認識部２２は、入力部１が撮影した出力部３付近の画像データを取得して画像認識処理を行い、視聴者が検出されたときは属性情報を生成してステップＳ２（Ｙｅｓ）に移行する。検出されないときはステップＳ４（Ｎｏ）に移行する。出力部３付近とは、例えば、入力部１で撮影可能な範囲、広告を視聴可能な範囲などであり、予め設定しておくことが望ましい。
【００４３】
ステップＳ２では、属性条件判定部２３が出力部３に現在表示されている広告に対応する記録部２６に記録されている広告テーブルの「成立条件」と、属性情報テーブルのグループごとの属性情報を比較して、成立条件を満足しているかを判定する。満足しているときはステップＳ５（Ｙｅｓ）に移行し、満足していないときはステップＳ３（Ｎｏ）に移行する。
【００４４】
ステップＳ３では、属性条件判定部２３が出力部３に現在表示されている広告に対応する記録部２６に記録されている広告テーブルの「成立条件」と、属性情報テーブルに記録されているグループごとの属性情報が、一部一致しているかを判定する。一部一致しているときはステップＳ６（Ｙｅｓ）に移行し、全く一致しないときはステップＳ４（Ｎｏ）に移行する。
【００４５】
ステップＳ４で視聴指示部２４は、視聴者がいないため現在の広告を継続して表示する。また、視聴者がいても成立条件にもその一部にも属性が合わないときは現在の広告を継続して表示する。なお、広告の継続した表示とは特定の視聴者向けではない広告が、あらかじめスケジュールされたとおりに順に入れ替わりながら表示されている状態を指す。
【００４６】
ステップＳ５では、視聴指示部２４が成立条件を満たしたとして、視聴者に有益な情報を提供する。また、成立条件を満たしたとき、視聴者に見せたい広告を出力する。
ステップＳ６では、視聴指示部２４が成立条件を一部満たしたとして、成立条件を満たすために必要な視聴者を集めるように視聴者に情報を提供する。
【００４７】
上記のように、広告を視聴してほしい視聴者のグループを揃えるために、認識した視聴者の現在グループに不足している視聴者を揃えることを促進するメッセージを出力して、広告に好適な視聴者を揃えることができる。
【００４８】
また、広告を見て欲しい視聴者を積極的に集めることができる。すなわち、たまたま居合わせた人にマッチする広告を出すのではなく、居合わせた人に、その人が興味を持った広告の視聴者を増やして貰う。また、わざわざ「呼んでくる」という行為により、ただマッチするものを一方的に見せるより、最初に広告に興味を持った人、その人に呼び込まれた人双方の印象に残り、広告効果を上げることができる。さらに、不足している視聴者を明に示すことにより、特定の視聴者グループがそろった時に広告効果を発揮するような商品の購買確率をあげることが可能になる。
【００４９】
実施形態２について説明する。
図６は、実施形態２の一実施例を示すフロー図である。図６のステップＳ６０１では、ＰＯＳデータテーブル（図４のＢ参照）、商品−広告テーブル（図４のＣ参照）を用いて作成した広告テーブル（図４のＡ参照）を記録部２６に記録する。広告テーブルは成立条件を有している。例えば、制御部２に広告を提供する広告主もしくは広告代理店が、広告テーブルを記録部２６に記録することが考えられる。
【００５０】
ステップＳ６０２では、属性認識部２２が入力部１から出力された画像データを取得し、画像データを用いて視聴者を検出して、視聴者が検出された場合にはステップＳ６０３（Ｙｅｓ）に移行し、視聴者が検出されない場合にはステップＳ６０２（Ｎｏ）に移行する。
【００５１】
ステップＳ６０３では、属性認識部２２が視聴者それぞれの属性を生成して、記録部２６の属性情報テーブルに記録する。例えば、図３に示したように視聴者それぞれの「画像撮影日時」「グループ識別子」「視聴者識別子」「属性情報１（性別）」「属性情報２（年齢）」「属性情報３（眼鏡）」・・・を生成して記録する。
【００５２】
ステップＳ６０４では、属性条件判定部２３が広告テーブルの成立条件に記録されている属性情報と、ステップＳ６０３で生成した属性情報テーブルに記録されている視聴者それぞれの属性情報が一致しているか否かを判定する。一致している場合にはステップＳ６０８（Ｙｅｓ）に移行し、一致していない場合にはステップＳ６０５（Ｎｏ）に移行する。例えば、広告テーブルの成立条件が「子供１人、大人１人、老人１人」である場合に、認識したグループの視聴者各々の属性情報が図７の表「認識した属性の種類」に示す「子供１人、大人１人、老人１人」のような属性情報であったとする。その場合、成立条件と認識した視聴者各々の属性情報が全て一致しているのでステップＳ６０８（Ｙｅｓ）に移行する。一方、認識したグループの視聴者各々の属性情報が図７の表「認識した属性の種類」に示す「子供１人、大人１人」「老人１人、子供１人」「子供１人」のような属性情報であったとする。その場合、成立条件と認識した視聴者各々の属性情報が一部一致しているのでステップＳ６０５（Ｎｏ）に移行する。なお、広告を視聴している複数のグループが存在するときは、各グループについて成立条件が成立しているかを判定し、判定結果を記録部２６などに記録する。また、グループの視聴者の属性情報が成立条件を含むような場合には、成立条件を満たしているとステップＳ６０８（Ｙｅｓ）に移行してもよい。例えば、成立条件が「子供１人、大人１人、老人１人」であるとき、認識したグループの視聴者各々の属性が「子供２人、大人２人、老人２人」であるときでも、成立条件を満たしたと判定してもよい。
【００５３】
ステップＳ６０５では、視聴指示部２４が成立条件を満たすために表示する属性情報の条件を特定する。例えば、広告テーブルの成立条件が「子供１人、大人１人、老人１人」である場合に、認識したグループの視聴者各々の属性情報が図７の表「認識した属性の種類」に示す「子供１人、大人１人」「老人１人、子供１人」「子供１人」のような属性情報であったとする。認識したグループの視聴者各々の属性情報が「子供１人、大人１人」である場合には、成立条件に必要な視聴者の属性情報は、この認識したグループの視聴者各々の属性と成立条件の差分より、「老人1人」であると特定する。同様に、認識したグループの視聴者各々の属性が「老人１人、子供１人」の場合は、「大人1人」、認識したグループの視聴者各々の属性情報が「子供１人」の場合には、「老人1人、大人1人」と特定する。
【００５４】
ステップＳ６０６では、視聴指示部２４が成立条件を満たすための属性情報条件に基づいて指示メッセージを作成して、出力部３が指示メッセージを表示する。本例では、図７の表の７０１の範囲の「条件状態表示イメージ」「指示メッセージ」（視聴指示情報）を表示する。本例では、条件状態表示イメージは不足している視聴者を点線で示し、認識されている視聴者は実線で示している。なお、点線と実線で区別するのでなく色を変えるなどしてもよい。指示メッセージに関しては、図７に示すようにテーブルで表示するメッセージを固定的に準備しておいてもよいが、指示メッセージを不足する視聴者の情報から自動的に生成してもよい。これは、あらかじめ属性に対応するキーワードを結び付けておくことで実現する。例えば、属性情報１：男、属性情報２：老人の場合、「おじいちゃん」というキーワードを結び付けておく。さらに、表示するメッセージのテンプレートを用意しておき、認識した属性情報に応じた指示メッセージを自動的に生成する。例えば、「「属性キーワード」を連れてきて」というテンプレートを用意しておき、「属性キーワード」の部分を置き換えて、「おじいちゃんを連れてきて」というメッセージを作成する。なお、不足する視聴者が複数の場合、例えば、「「属性キーワード１」と「属性キーワード２」と・・・を連れてきて」というテンプレートを用意する。不足する視聴者が２人の場合であり、「属性キーワード１」に対応する属性キーワード１が「おじいちゃん」、「属性キーワード２」に対応する属性キーワード２が「お母さん」であれば、「おじいちゃんとお母さんを連れてきて」といった指示メッセージを作成する。ここで、置換えをする場合には、属性と対応付けられた属性キーワードを明示したテーブルを用いる。例えば、該テーブルには複数の属性キーワードがあり、図３の属性情報「属性情報１」「属性情報２」・・・と対応付けられている。「属性情報１」が「男」で「属性情報２」が「老人」であれば、属性キーワードとして「おじいちゃん」が呼び出され置き換えられる。「属性情報１」が「女」で「属性情報２」が「中年」であれば、属性キーワードとして「お母さん」が呼び出され置き換えられる。
【００５５】
ステップＳ６０７では、属性認識部２２が現在認識している視聴者を記録部２６に記録する。視聴者を記録する場合、次に認識した場合に同一人物であるか判定できるような特徴情報を記録する。例えば、テーブルを作成し、現在認識している視聴者に不足している視聴者を集めるためにメッセージを表示したことを示す情報を、視聴者および視聴者グループの特徴情報と関連付けて「指示提示済み」の項目を設け、「指示提示済み」にフラグを立てて記録する。この「指示提示済み」にフラグが立っているとき（「１」）は現在認識されている視聴者が、成立条件に不足している視聴者を集めていると想定する。なお、一定期間過ぎた場合は「指示提示済み」のフラグを立てるのをやめる（「０」）。表示部３の表示内容は、ある一定時間指示メッセージを表示したら、出力部３の表示を初期化して、ステップＳ６０２に移行する。または、メッセージを提示した視聴者が視聴を辞めたのを認識したら、ステップＳ６０２に移行する。視聴を辞めたかの認識は、上記で視聴状態を認識したのと逆に、顔の向きや視線がはずれたのを認識して判断する。
【００５６】
ステップＳ６０８では、上記視聴指示情報を実行したうえで、成立条件を満たしたことを判定するために実施する。視聴指示情報を実施したかに関係なく、条件が成立した場合は、有益な視聴情報を出す場合は、このステップは無視し、次のステップＳ６０９に進む。ステップＳ６０８では、属性認識部２２がＳ６０７で記録された視聴者もしくは視聴者グループであるか否かを判定する。ステップＳ６０７で記録した視聴者を含んでいる場合には、ステップＳ６０９（Ｙｅｓ）に移行する。視聴者を集めずに最初から成立条件を満たしているグループである場合は、ステップＳ６０２（Ｎｏ）に移行する。例えば、属性認識部２２が検出した視聴者と属性情報テーブルの「指示提示済み」にフラグが立っているグループの属性情報と比較をする。その結果、同一の視聴者を含んでいると判定した場合にはステップＳ６０９（Ｙｅｓ）に移行する。なお、視聴者が同一であるか否かを判定する精度を向上させるために、テーブルにさらに視聴者の服の色や肌の色などの詳細な情報も記録しておき、この詳細な情報を用いることで判定精度を向上させてもよい。
【００５７】
ステップＳ６０９では、属性認識部２２が属性条件判定部２３を介して視聴指示部２４に判定結果を通知する。なお、属性認識部２２が直接視聴指示部２４に判定結果を通知してもよい。視聴指示部２４は、記録部２６の動作認識テーブルを参照して出力部３に表示する動作の指示（指示メッセージ）を選択して、出力部３に通知して表示する。例えば、視聴指示部２４は、図８に示す動作認識テーブルを参照して成立条件を検出し、「子供１人、大人１人、老人１人」の場合、「全員でＶサインをしてください！」を取得する。「子供1人、大人1人」の場合、「全員で万歳をしてください！」を取得する。
【００５８】
ステップＳ６１０では、動作認識部２５が出力部３に表示されている指示メッセージが表示されている間に、認識されたグループの視聴者が指示メッセージに従った動作をしたかを認識する。例えば動作の認識は、動作認識処理、人画像認識処理、顔画像認識処理の技術などを用いて判定する。
【００５９】
ステップＳ６１１では、視聴指示部２４が視聴者に有益な情報を表示する。例えば、図４のＡに示す広告テーブルを参照して、「第１の有益情報」の中から現在の広告に対応する情報を取得する。次に、視聴指示部２４は出力部３に該情報を出力して、出力部３が視聴者に「クーポン３０％」や「商品券」などを利用者に提供することを出力する。また、視聴指示部２４が視聴者に広告（現在の広告）を表示する。例えば、図４のＡに示す広告テーブルを参照して、「広告内容」の中から成立条件に対応する広告データ（広告情報）を取得して、出力部３が広告を出力する。その際に、出力部４は、該情報に基づいてクーポン券や商品券を視聴者に提供する。その際、図７の表の７０２の範囲の「条件状態表示イメージ」「指示メッセージ」を表示する。一定時間経過後もしくは、利用者が有益情報を取得後、ステップＳ６１２で視聴指示部２４は、出力部３の表示を初期化する。表示方法については後述する。
【００６０】
上記のように、広告を視聴してほしい視聴者のグループを揃えるために、認識した視聴者の現在グループに不足している視聴者を揃えることを促進するメッセージを出力して、広告に好適な視聴者を揃えることができる。
【００６１】
また、広告を見て欲しい視聴者を積極的に集めることができる。すなわち、たまたま居合わせた人にマッチする広告を出すのではなく、居合わせた人に、その人が興味を持った広告の視聴者を増やして貰う。また、わざわざ「呼んでくる」という行為により、ただマッチするものを一方的に見せるより、最初に広告に興味を持った人、その人に呼び込まれた人双方の印象に残り、広告効果を上げることができる。さらに、不足している視聴者を明に示すことにより、特定の視聴者グループがそろった時に広告効果を発揮するような商品の購買確率をあげることが可能になる。
【００６２】
また、ただ呼ばれても鬱陶しいだけで実際の購買に繋がらないことも考えられるので、そのときにクーポンなどインセンティブを付けることで、呼んだ人はお買い得感をアピールでき、印象に残るだけでなく、更に購買意欲を上げることもできる。
【００６３】
実施形態３について説明する。
図９は、実施形態３の一実施例を示すフロー図である。実施形態３では、成立条件を満たすために視聴者を集めた場合と集めていない場合で、異なる有益情報を視聴者に提供する。実施形態３において、ステップＳ６０１〜Ｓ６０７は実施形態２と同じ処理である。
【００６４】
ステップＳ９０１では、属性認識部２２が属性条件判定部２３を介して視聴指示部２４に判定結果を通知する。なお、属性認識部２２が直接視聴指示部２４に判定結果を通知してもよい。視聴指示部２４は、記録部２６のグループ確認テーブルを参照して出力部３に表示する動作の指示（指示メッセージ）を選択して、出力部３に通知して表示する。例えば、視聴指示部２４は、図８に示すグループ確認テーブルを参照して成立条件を検出し、「子供１人、大人１人、老人１人」の場合、「全員でＶサインをしてください！」を取得する。「子供1人、大人1人」の場合、「全員で万歳をしてください！」を取得する。
【００６５】
ステップＳ９０２では、グループ確認部２５が出力部３に表示されている指示メッセージが表示されている間に、認識されたグループの視聴者が指示メッセージに従った動作を全員がしたかを認識する。例えば動作の認識は、動作認識処理、人画像認識処理、顔画像認識処理の技術などを用いて判定する。
【００６６】
ステップＳ９０３では、属性認識部２２がＳ６０７で記録された視聴者もしくは視聴者グループ視聴者であるか否かを判定する。ステップＳ６０７で記録した視聴者を含んでいる場合には、ステップＳ９０５（Ｙｅｓ）に移行する。視聴者を集めずに最初から成立条件を満たしているグループである場合は、ステップＳ９０４（Ｎｏ）に移行する。
ステップＳ９０４では、視聴者に有益な第２の有益情報を表示する視聴指示部２４が視聴者に有益な情報を表示する。例えば、図４のＡに示す広告テーブルを参照して、「第２の有益情報」の中から現在の広告に対応する情報を取得する。次に、視聴指示部２４は出力部４に該情報を出力して、出力部３が視聴者に「クーポン５％」や「クーポン１０％」などを利用者に提供することを表示する。その際に、出力部４は、該情報に基づいてクーポン券や商品券を視聴者に提供する。
【００６７】
ステップＳ９０５では、視聴指示部２４が視聴者に有益な情報を表示する。例えば、図４のＡに示す広告テーブルを参照して、「第２の有益情報」より有益な「第１の有益情報」の中から現在の広告に対応する情報を取得する。次に、視聴指示部２４は出力部３に該情報を出力して、出力部３が視聴者に「クーポン３０％」や「商品券」などを利用者に提供することを表示する。
【００６８】
また、視聴指示部２４が視聴者に広告を表示する。例えば、図４のＡに示す広告テーブルを参照して、「広告内容」の中から成立条件に対応する広告データ（広告情報）を取得して、出力部３が広告を出力する。
【００６９】
ステップＳ９０６で視聴指示部２４は、出力部３の表示を初期化する。表示方法については後述する。
上記のように、広告を視聴してほしい視聴者のグループを揃えるために、認識した視聴者の現在グループに不足している視聴者を揃えることを促進するメッセージを出力して、広告に好適な視聴者を揃えることができる。
【００７０】
また、広告を見て欲しい視聴者を積極的に集めることができる。すなわち、たまたま居合わせた人にマッチする広告を出すのではなく、居合わせた人に、その人が興味を持った広告の視聴者を増やして貰う。また、わざわざ「呼んでくる」という行為により、ただマッチするものを一方的に見せるより、最初に広告に興味を持った人、その人に呼び込まれた人双方の印象に残り、広告効果を上げることができる。
【００７１】
また、ただ呼ばれても鬱陶しいだけで実際の購買に繋がらないことも考えられるので、そのときにクーポンなどインセンティブを付けることで、呼んだ人はお買い得感をアピールできて、印象に残るだけでなく、更に購買意欲を上げることもできる。
【００７２】
実施形態４について説明する。
図１０は、実施形態４の一実施例を示すフロー図である。図１０のステップＳ１００１では、ＰＯＳデータテーブル（図４のＢ参照）、商品−広告テーブル（図４のＣ参照）を用いて作成した広告テーブル（図１１参照）を記録部２６に記録する。例えば、制御部２に広告を提供する広告主もしくは広告代理店などが、広告テーブルを記録部２６に記録することが考えられる。
【００７３】
図１１は、実施形態４の広告テーブルのデータ構造の一実施例を示す図である。
図１１の広告テーブルは、少なくとも出力部３に表示する広告と、該広告に関連付けられる成立条件が記録されている。図１１に示す広告テーブルでは、「広告識別子」「広告内容」「成立条件」「促進条件１」「促進条件２」・・・「第１の有益情報」「第２の有益情報」を有している。「広告識別子」には広告を識別するための情報が記録され、例えば、「広告ＩＤ１」「広告ＩＤ２」・・・が記録されている。「広告内容」には、出力部３に表示される広告の内容（データ）が記録されている。例えば、「広告データ１（ランドセルの広告）」「広告データ２（机の広告）」・・・が記録されている。本例では、便宜上（ランドセルの広告）（机の広告）が記載されているが実際には記録されていない。「成立条件」には、広告を見てほしい人の属性が記録されている。本例では、広告を見てほしい視聴者のグループとして「子供１人、大人１人、老人１人」「子供１人、大人２人、老人２人」・・・が記録されている。本例では、便宜上「子供１人、大人１人、老人１人」と記載しているが、成立条件をさらに「子供」「大人」（例えば２０〜５０代）「老人」に分け、それぞれに対して人数「１」「１」「１」を割り付けることが望ましい（「１」は一人を示す）。また、さらに、「子供」を「１０代」までの「女」「男」に分け、「大人」を「２０代」「３０代」「４０代」「５０代」のそれぞれ「女」「男」に分け、「老人」を「６０代」「７０代」「８０代以上」のそれぞれ「女」「男」に分けてもよい。成立条件は広告の種類によって適切な視聴者を選択することが望ましい。例えば、「成立条件」は、「広告識別子」に関連付けて「属性情報１（性別）」「属性情報２（年齢）」「属性情報３（眼鏡）」などの項目を用意する。そして、「属性情報１（性別）」に「女」「男」、「属性情報２（年齢）」に「子供」「若者」「中年」「老人」、「属性情報３（眼鏡）」に「あり」「なし」などの情報を記録することが望ましい。「促進条件１」「促進条件２」・・・には、成立条件の一部の属性を記録している。図１１の例では「促進条件１」には、成立条件が「子供１人、大人１人、老人１人」であるので、成立条件の一部である「子供１人、老人１人」「大人１人、老人１人」・・・を記録する。また、「促進条件２」には、成立条件が「子供１人、大人２人、老人２人」であるので、成立条件の一部である「子供１人、老人２人」「子供１人、大人１人」・・・を記録する。「第１の有益情報」は、視聴者が表示された指示に従い成立条件に沿った視聴者を集めたときに、その視聴者に提供される情報である。例えば、「クーポン３０％」「商品券」・・・などを視聴者に提供するための情報が記録されている。また、「第２の有益情報」には、「第１の有益情報」よりも有益ではない情報が記録されている。例えば、「クーポン５％」「クーポン１０％」・・・が記録されている。
【００７４】
ステップＳ１００２では、属性認識部２２が入力部１から出力された画像データを取得し、画像データを用いて視聴者を検出して、視聴者が検出された場合にはステップＳ１００３（Ｙｅｓ）に移行する。視聴者が検出されない場合にはステップＳ１００２（Ｎｏ）に移行する。
【００７５】
ステップＳ１００３ではステップＳ６０３と同様に、属性認識部２２が視聴者それぞれの属性情報を生成して、記録部２６の属性情報テーブルに記録する。
ステップＳ１００４ではステップＳ６０４と同様に、属性条件判定部２３が広告テーブルの成立条件に記録されている属性情報と、ステップＳ１００３で生成した属性情報テーブルに記録されている視聴者それぞれの属性情報が一致しているか否かを判定する。一致している場合にはステップＳ１００９（Ｙｅｓ）に移行し、一致していない場合にはステップＳ１００５（Ｎｏ）に移行する。
【００７６】
ステップＳ１００５では、属性条件判定部２３が広告テーブルの促進条件に記録されている属性と、ステップＳ１００３で生成した属性情報テーブルに記録されている視聴者それぞれの属性情報と一致する促進条件があるか否かを判定する。一致している場合にはステップＳ１００６（Ｙｅｓ）に移行し、一致していない場合にはステップＳ１００２（Ｎｏ）に移行する。図１１の例では、認識した視聴者のグループの属性が「子供１人、老人１人」である場合は、図１１の「促進条件１」の「子供１人、老人１人」と一致しているのでステップＳ１００６（Ｙｅｓ）に移行する。
【００７７】
ステップＳ１００６ではステップＳ６０５と同様に、視聴指示部２４が成立条件と認識したものからメッセージを促す属性を特定する。
ステップＳ１００７ではステップＳ６０６と同様に、成立条件を満たすための視聴指示情報を取得して、視聴指示情報に基づいてメッセージを作成して表示する。本例では、図１２の表の１２０２、１２０４の範囲の「条件状態表示イメージ」「指示メッセージ」を表示する。本例では、不足している視聴者を点線で示し、認識されている視聴者は実線で示している。なお、点線と実線で区別するのでなく色を変えるなどしてもよい。
【００７８】
ステップＳ１００８ではステップＳ６０７と同様に、属性認識部２２が現在認識している視聴者を記録部２６に記録する。
ステップＳ１００９ではステップＳ６０８と同様に、属性認識部２２がＳ１００８で記録された視聴者もしくは視聴者グループであるか否かを判定する。ステップＳ１００８で記録した視聴者を含んでいる場合には、ステップＳ１０１０（Ｙｅｓ）に移行する。視聴者を集めずに最初から成立条件を満たしているグループである場合は、ステップＳ１００２（Ｎｏ）に移行する。
【００７９】
ステップＳ１０１０ではステップＳ６０９と同様に、属性認識部２２が属性条件判定部２３を介して視聴指示部２４に判定結果を通知する。そして、視聴指示部２４は、記録部２６のグループ確認テーブルを参照して出力部３に表示する動作の指示（指示メッセージ）を選択して、出力部３に通知して表示する。
【００８０】
ステップＳ１０１１ではステップＳ６１０と同様に、グループ確認部２５が出力部３に表示されている指示メッセージが表示されている間に、認識されたグループの視聴者が指示メッセージに従った動作をしたかを認識する。その際、図１２の表の１２０１、１２０３の範囲の「条件状態表示イメージ」「指示メッセージ」を表示する。
【００８１】
ステップＳ１０１２ではステップＳ６１０と同様に、視聴指示部２４が視聴者に有益な情報を表示する。例えば、図１１に示す広告テーブルを参照して、「第１の有益情報」の中から現在の広告に対応する情報を取得する。次に、視聴指示部２４は出力部３に該情報を出力して、出力部３が視聴者に「クーポン３０％」や「商品券」などを利用者に提供することを表示する。また、視聴指示部２４が視聴者に広告を表示する。例えば、図４のＡに示す広告テーブルを参照して、「広告内容」の中から成立条件に対応する広告データ（広告情報）を取得して、出力部３が広告を出力する。ステップＳ１０１３で視聴指示部２４は、出力部３の表示を初期化する。表示方法については後述する。
【００８２】
上記のように、広告を視聴してほしい視聴者のグループを揃えるために、認識した視聴者の現在グループに不足している視聴者を揃えることを促進するメッセージを出力して、広告に好適な視聴者を揃えることができる。
【００８３】
また、広告を見て欲しい視聴者を積極的に集めることができる。すなわち、たまたま居合わせた人にマッチする広告を出すのではなく、居合わせた人に、その人が興味を持った広告の視聴者を増やして貰う。また、わざわざ「呼んでくる」という行為により、ただマッチするものを一方的に見せるより、最初に広告に興味を持った人、その人に呼び込まれた人双方の印象に残り、広告効果を上げることができる。さらに、不足している視聴者を明に示すことにより、特定の視聴者グループがそろった時に広告効果を発揮するような商品の購買確率をあげることが可能になる。
【００８４】
また、ただ呼ばれても鬱陶しいだけで実際の購買に繋がらないことも考えられるので、そのときにクーポンなどインセンティブを付けることで、呼んだ人はお買い得感をアピールできて、印象に残るだけでなく、更に購買意欲を上げることもできる。
【００８５】
実施形態５について説明する。
図１３は、実施形態５の一実施例を示すフロー図である。実施形態５では、成立条件を満たすために視聴者を集めた場合と集めていない場合で、異なる有益情報を視聴者に提供する。実施形態５において、ステップＳ１００１〜Ｓ１００７は実施形態４と同じ処理である。
【００８６】
ステップＳ１３０１では、属性認識部２２が属性条件判定部２３を介して視聴指示部２４に判定結果を通知する。なお、属性認識部２２が直接視聴指示部２４に判定結果を通知してもよい。視聴指示部２４は、記録部２６のグループ確認テーブルを参照して出力部３に表示する動作の指示（指示メッセージ）を選択して、出力部３に通知して表示する。
【００８７】
ステップＳ１３０２では、グループ確認部２５が出力部３に表示されている指示メッセージが表示されている間に、認識されたグループの視聴者が指示メッセージに従った動作を全員がしたかを認識する。例えば動作の認識は、動作認識処理、人画像認識処理、顔画像認識処理の技術などを用いて判定する。
【００８８】
ステップＳ１３０３では、属性認識部２２が現在認識している視聴者であるか否かを判定する。ステップＳ１００８で記録した視聴者を含んでいる場合には、ステップＳ１３０５（Ｙｅｓ）に移行する。視聴者を集めずに最初から成立条件を満たしているグループである場合は、ステップＳ１３０４（Ｎｏ）に移行する。
【００８９】
ステップＳ１３０４では、視聴者に有益な第２の有益情報を表示視聴指示部２４が視聴者に有益な情報を表示する。例えば、図１１に示す広告テーブルを参照して、「第２の有益情報」の中から現在の広告に対応する情報を取得する。次に、視聴指示部２４は出力部４に該情報を出力して、出力部３が視聴者に「クーポン５％」や「クーポン１０％」などを利用者に提供することを表示する。その際に、出力部４は、該情報に基づいてクーポン券や商品券を視聴者に提供する。
【００９０】
ステップＳ１３０５では、視聴指示部２４が視聴者に有益な情報を表示する。例えば、図１１に示す広告テーブルを参照して、「第２の有益情報」より有益な「第１の有益情報」の中から現在の広告に対応する情報を取得する。次に、視聴指示部２４は出力部３に該情報を出力して、出力部３が視聴者に「クーポン３０％」や「商品券」などを利用者に提供することを表示する。
【００９１】
また、視聴指示部２４が視聴者に広告を表示する。例えば、図４のＡに示す広告テーブルを参照して、「広告内容」の中から成立条件に対応する広告データ（広告情報）を取得して、出力部３が広告を出力する。
【００９２】
ステップＳ１３０６で視聴指示部２４は、出力部３の表示を初期化する。表示方法については後述する。
上記のように、広告を視聴してほしい視聴者のグループを揃えるために、認識した視聴者の現在グループに不足している視聴者を揃えることを促進するメッセージを出力して、広告に好適な視聴者を揃えることができる。
【００９３】
また、広告を見て欲しい視聴者を積極的に集めることができる。すなわち、たまたま居合わせた人にマッチする広告を出すのではなく、居合わせた人に、その人が興味を持った広告の視聴者を増やして貰う。また、わざわざ「呼んでくる」という行為により、ただマッチするものを一方的に見せるより、最初に広告に興味を持った人、その人に呼び込まれた人双方の印象に残り、広告効果を上げることができる。さらに、不足している視聴者を明に示すことにより、特定の視聴者グループがそろった時に広告効果を発揮するような商品の購買確率をあげることが可能になる。
【００９４】
また、ただ呼ばれても鬱陶しいだけで実際の購買に繋がらないことも考えられるので、そのときにクーポンなどインセンティブを付けることで、呼んだ人はお買い得感をアピールできて、印象に残るだけでなく、更に購買意欲を上げることもできる。
【００９５】
表示方法について説明する。
図１４は、上記実施形態２、３、４、５で出力部３が表示を初期化する際に表示する画面の一実施例を示す図である。図１４の表示画面１４００に、広告表示領域１４０１と属性条件表示領域１４０２を表示する。広告表示領域１４０１には、条件が成立前は、成立条件が揃うと見ることができるコンテンツやサービスの内容などを表示する。単にスケジュール化された広告を表示しておいてもよい。条件が成立した場合は、図４、図１１で示す広告内容（画像、動画など）を表示する。また、属性条件表示領域１４０２に表示している成立条件が揃うと有益な情報を得ることができることを表示する。属性条件表示領域１４０２には、成立条件を並べて表示する。例えば、成立条件として視聴者の属性に対応したイラストなどを表示してもよい。また、本日成立条件を満たした視聴者が何グループあったかを表示してもよく、図１４では、本日成立条件を満たした視聴者が何グループあったかを「１８」「５」「２２」「３」という数字で表示している。ただし、初期化する際に表示する画面は上記に限定されるものではない。
【００９６】
図１５のＡ、Ｂは、上記実施形態２、３、４、５で出力部３が成立条件を満たしていないときに、成立条件を満たすために視聴者を集める際に表示する画面の一実施例を示す図である。図１５のＡは、属性条件表示領域１４０２に現在認識されている視聴者の属性と不足している視聴者の属性を区別して表示する。図１５のＡでは、成立条件を満たすのは、おじいさんとお母さんと子供が揃うことであるので、属性条件表示領域１４０２に不足している視聴者であるおじいさんを点線で示し、お母さんと子供を実線にして表示する。さらに「おじいちゃんをつれてきて！」などの表示をする。なお、本例では点線と実線にして区別しているが、色を変えて区別してもよい。
【００９７】
図１５のＢは、属性条件表示領域１４０２に成立条件が満たされた場合に表示する画面である。図１５のＢでは、成立条件を満たすのは、おじいさんとお母さんと子供が揃うことであるので、属性条件表示領域１４０２に成立条件が満たされたことをおじいさんとお母さんと子供を実線にして表示し、さらに「Congratulations!!」などと一緒に表示をする。なお、また、視聴者に有益な情報を提供する際に、「クーポン発券中」などの表示をする。
【００９８】
ここで、ＦｅｌｉＣａ（登録商標）などのリーダがある場合は、おサイフケータイ（登録商標）へクーポンの情報を転送する。プリンタがついている場合は、クーポンを印刷する。両方ない場合は、画面に２次元バーコードを表示または、秘密のキーワードを表示してもよい。
【００９９】
図１６は、上記実施形態２、３、４、５で出力部３が成立条件を満たしていないときに、成立条件を満たすために視聴者を集める際に表示する画面の一実施例を示す図である。例えば、成立条件が複数用意されている場合に、成立条件の１つが「おじいちゃん、お母さん、子供」であり、または「お父さん、お母さん、子供」であるとき、現在認識されている視聴者が子供１人であるとする。その場合、複数の視聴者を集めることを促すメッセージを同時に表示する。図１６の例では、「おじいちゃんとお母さんをつれてきて！」と一緒に「お父さんとお母さんをつれてきて！」とメッセージを表示する。また、「おじいちゃんとお母さんをつれてきて！」と表示するとともにおじいちゃんとお母さんのイラストを点線で示し、子供を実線で示している。また、「お父さんとお母さんをつれてきて！」と表示するとともにお父さんとお母さんのイラストを点線で示し、子供を実線で示している。
【０１００】
また、複数のメッセージを表示するのではなく、今までに成立条件が満たされた回数が少ない成立条件を満たす表示をする。例えば、成立条件に「おじいちゃん、お母さん、子供」と「お父さん、お母さん、子供」がある場合について考える。「お父さん、お母さん、子供」の成立条件の方が多く達成されていれば、「おじいちゃん、お母さん、子供」の成立条件を満たすためのメッセージを選んで表示してもよい。また、より広告効果が高いものを表示してもよい。
【０１０１】
図１７のＡ、Ｂは、上記実施形態２、３、４、５で出力部３が成立条件を満たしていないときに、成立条件を満たすために視聴者を集める際に表示する画面の一実施例を示す図である。図１７のＡの属性条件表示領域１４０２に示すように「緊急指令」などの表示をしてもよい。本例では、「以下のメンバーをそろえよ」・・・「ミッションクリアで、特別動画が見られるぞ」などの表示をすることが考えられる。
【０１０２】
図１７のＢでは、「現在の割引率１０％」「おじいちゃんを連れてくれば、割引率３０％」、クーポン割引率を示すメータ１７０１を表示してもよい。
実施形態がコンピュータとして実現される場合の構成について説明する。
【０１０３】
図１８は、上記実施形態１、２、３、４、５と表示方法で説明した装置を実現できるコンピュータのハードウェア構成の一実施例を示す図である。
コンピュータのハードウェア１８００は、ＣＰＵ１８０１、記録部１８０２、記録媒体読取装置１８０３、入出力インタフェース１８０４（入出力Ｉ／Ｆ）、通信インタフェース１８０５（通信Ｉ／Ｆ）などを備えている。また、上記各構成部はバス１８０６によってそれぞれ接続されている。
【０１０４】
ＣＰＵ１８０１は、記録部１８０２に格納されている上記説明した広告装置の各処理を実行する。
記録部１８０２には、ＣＰＵ１８０１が実行するプログラムやデータが記録されている。また、ワークエリアなどとして使用される。また、記録部１８０２は上記説明した記録部２６の機能を有する。記録部１８０２は、例えば、ＲＯＭ、ＲＡＭ、ハードディスクドライブなどである。
【０１０５】
記録媒体読取装置１８０３は、ＣＰＵ１８０１の制御にしたがって記録媒体１８０７に対するデータのリード／ライトを制御する。そして、記録媒体１８０７に記録媒体読取装置１８０３の制御で書き込まれたデータを記録させたり、記録媒体１８０７に記憶されたデータを読み取らせたりする。また、着脱可能な記録媒体１８０７は、コンピュータで読み取り可能なｎｏｎ−ｔｒａｎｓｉｔｏｒｙ（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc (ＤＶＤ)、ＤＶＤ−ＲＡＭ、Compact Disc Read Only Memory (ＣＤ−ＲＯＭ)、ＣＤ−Ｒ(Recordable)／ＲＷ(ReWritable)などがある。光磁気記録媒体には、Magneto-Optical disk (ＭＯ)などがある。
【０１０６】
入出力インタフェース１８０４には、入出力装置１８０８が接続され、ユーザが入力した情報を受信し、バス１８０６を介してＣＰＵ１８０１に送信する。また、ＣＰＵ１８０１からの命令に従ってディスプレイの画面上に操作情報などを表示する。入出力装置１８０８は、例えば、タッチパネルなどが考えられる。
【０１０７】
通信インタフェース１８０５は、必要に応じ、他のコンピュータとの間のＬＡＮ接続やインターネット接続や無線接続を行うためのインタフェースである。また、他の装置に接続され、外部装置からのデータの入出力を制御する。
【０１０８】
このようなハードウェア構成を有するコンピュータを用いることによって、上記説明した各種処理機能が実現される。その場合システムが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体１８０７に記録しておくことができる。なお、上記各種処理機能は、実施形態１、２、３、４、５と表示方法で説明したフローチャートなどである。
【０１０９】
プログラムを流通させる場合には、例えば、そのプログラムが記録されたＤＶＤ、ＣＤ−ＲＯＭなどの記録媒体１８０７が販売される。また、プログラムをサーバコンピュータの記憶装置に格納しておき、ネットワークを介して、サーバコンピュータから他のコンピュータにそのプログラムを転送することもできる。
【０１１０】
プログラムを実行するコンピュータは、例えば、記録媒体１８０７に記録されたプログラムもしくはサーバコンピュータから転送されたプログラムを、自己の記録部１８０２に格納する。そして、コンピュータは、自己の記録部１８０２からプログラムを読み取り、プログラムに従った処理を実行する。なお、コンピュータは、記録媒体１８０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１１】
また、本発明は、上記実施の形態に限定されるものでなく、本発明の要旨を逸脱しない範囲内で種々の改良、変更が可能である。なお、各実施例は処理に矛盾の無い限りにおいて、互いに組み合わせても構わない。
【０１１２】
以上実施形態１、２、３、４、５と表示方法を含む実施形態に関し、更に以下の付記を開示する。
（付記１）
広告情報と、前記広告情報を一緒に視聴させたい複数の視聴者各々の特徴を示す第１の属性情報とを、関連付けて記録している記録部と、
出力部から出力されている広告を視聴している１人以上の視聴者各々の特徴を示す特徴情報を取得して、該取得された特徴情報を基に第２の属性情報を生成する視聴者属性認識部と、
前記第２の属性情報と、前記第１の属性情報とを比較し、前記第２の属性情報が前記第１の属性情報を全て含むか否かを判定する属性条件判定部と、
前記第２の属性情報が前記第１の属性情報を全て含むものではないと判定したとき、前記第１の属性情報に含まれ、前記第２の属性情報に含まれない視聴者各々の第３の属性情報を選択し、前記視聴者に通知する視聴指示部と、
前記第２の属性情報が前記第１の属性情報を全て含むと判定したとき、前記第１の属性情報に対応付けて前記記録部に記録されている前記広告情報を出力する前記出力部と、
を備えることを特徴とする広告装置。
（付記２）
前記視聴者属性認識部は、
前記第２の属性情報が前記第１の属性情報を全て含むものではないと判定したとき、取得した特徴情報を前記記録部に更に記録し、
前記視聴者属性認識部により取得された、前記出力部を視聴している１人以上の視聴者各々の特徴を示す特徴情報のうち少なくとも１つが前記記録部に記録されており、かつ、前記属性条件判定部により、前記視聴者属性認識部により取得された前記出力部を視聴している１人以上の視聴者各々の特徴を示す特徴情報から生成された第２の属性情報が前記特徴情報を全て含むと判定された場合、該視聴者に有益な情報を生成して、前記視聴者に通知する、
ことを特徴とする付記１に記載の広告装置。
（付記３）
前記視聴指示部は、
前記第２の属性情報と、前記第３の属性情報とを区別して前記視聴者に通知する、
ことを特徴とする付記１に記載の広告装置。
（付記４）
前記視聴指示部は、
前記満たした場合、前記対象の広告を視聴している同じグループの複数の視聴者に特定の動作を指示する情報を生成して前記出力部に通知し、
前記特定の動作を指示する情報が前記出力部に表示された後、前記グループの前記視聴者各々に前記特定の動作を認識するグループ確認部から、前記特定の動作を認識したことを示す情報を取得したとき、前記視聴者に有益な情報を生成して有益情報出力部に通知し、
前記有益情報出力部が、前記グループの視聴者に前記視聴者に有益な情報を提供する、
ことを特徴とする付記１〜３のいずれか１つに記載の広告装置。
（付記５）
前記視聴指示部は、前記第３の属性情報を用いて、出力部に出力する指示メッセージを生成することを特徴とする付記４に記載の広告装置。
（付記６）
広告情報と、前記広告情報を一緒に視聴させたい複数の視聴者各々の特徴を示す第１の属性情報とを、関連付けて記録し、
出力部から出力されている広告を視聴している１人以上の視聴者各々の特徴を示す特徴情報を取得して該取得された特徴情報を基に第２の属性情報を生成し、
前記第２の属性情報と、前記第１の属性情報とを比較し、前記第２の属性情報が前記第１の属性情報を全て含むか否かを判定し、
前記第２の属性情報が前記第１の属性情報を全て含むものではないと判定したとき、前記第１の属性情報に含まれ、前記第２の属性情報に含まれない視聴者各々の第３の属性情報を選択し、前記視聴者に通知し、
前記第２の属性情報が前記第１の属性情報を全て含むと判定したとき、前記第１の属性情報に対応付けて前記記録部に記録されている前記広告情報を前記出力部に出力する、
ことを特徴とするコンピュータにより実行する広告方法。
（付記７）
コンピュータに、
広告情報と、前記広告情報を一緒に視聴させたい複数の視聴者各々の特徴を示す第１の属性情報とを、関連付けて記録する処理と、
出力部から出力されている広告を視聴している１人以上の視聴者各々の特徴を示す特徴情報を取得して該取得された特徴情報を基に第２の属性情報を生成する処理と、
前記第２の属性情報と、前記第１の属性情報とを比較し、前記第２の属性情報が前記第１の属性情報を全て含むか否かを判定する処理と、
前記第２の属性情報が前記第１の属性情報を全て含むものではないと判定したとき、前記第１の属性情報に含まれ、前記第２の属性情報に含まれない視聴者各々の第３の属性情報を選択し、前記視聴者に通知する処理と、
前記第２の属性情報が前記第１の属性情報を全て含むと判定したとき、前記第１の属性情報に対応付けて前記記録部に記録されている前記広告情報を前記出力部に出力する処理と、
を実行させることを特徴とする広告出力プログラム。
（付記８）
前記第２の属性情報が前記第１の属性情報を全て含むものではないと判定したとき、取得した特徴情報を前記記録部に更に記録し、
前記取得された、前記出力部を視聴している１人以上の視聴者各々の特徴を示す特徴情報のうち少なくとも１つが前記記録部に記録されており、かつ、前記属性条件判定部により、前記取得された前記出力部を視聴している１人以上の視聴者各々の特徴を示す特徴情報から生成された第２の属性情報が前記特徴情報を全て含むと判定された場合、該視聴者に有益な情報を生成して、前記視聴者に通知する、
ことを特徴とする付記６に記載の広告方法。
（付記９）
前記第２の属性情報と、前記第３の属性情報とを区別して前記視聴者に通知する、ことを特徴とする付記６に記載の広告方法。
（付記１０）
前記満たした場合、前記対象の広告を視聴している同じグループの複数の視聴者に特定の動作を指示する情報を生成して前記出力部に通知し、
前記特定の動作を指示する情報が前記出力部に表示された後、前記グループの前記視聴者各々に前記特定の動作を認識してから、前記特定の動作を認識したことを示す情報を取得したとき、前記視聴者に有益な情報を生成して通知し、
前記グループの視聴者に前記視聴者に有益な情報を提供する、
ことを特徴とする付記６、８、９のいずれか１つに記載の広告方法。
（付記１１）
前記第３の属性情報を用いて、出力部に出力する指示メッセージを生成することを特徴とする付記９に記載の広告方法。
（付記１２）
前記第２の属性情報が前記第１の属性情報を全て含むものではないと判定したとき、取得した特徴情報を前記記録部に更に記録し、前記取得された、前記出力部を視聴している１人以上の視聴者各々の特徴を示す特徴情報のうち少なくとも１つが前記記録部に記録されており、かつ、前記属性条件判定部により、前記取得された前記出力部を視聴している１人以上の視聴者各々の特徴を示す特徴情報から生成された第２の属性情報が前記特徴情報を全て含むと判定された場合、該視聴者に有益な情報を生成して、前記視聴者に通知する処理と、
をコンピュータに実行させることを特徴とする付記７に記載の広告出力プログラム。
（付記１３）
前記第２の属性情報と、前記第３の属性情報とを区別して前記視聴者に通知する処理を、コンピュータに実行させることを特徴とする付記７に記載の広告出力プログラム。
（付記１４）
前記満たした場合、前記対象の広告を視聴している同じグループの複数の視聴者に特定の動作を指示する情報を生成して前記出力部に通知する処理と、
前記特定の動作を指示する情報が前記出力部に表示された後、前記グループの前記視聴者各々に前記特定の動作を認識してから、前記特定の動作を認識したことを示す情報を取得したとき、前記視聴者に有益な情報を生成して通知する処理と、
前記グループの視聴者に前記視聴者に有益な情報を提供する処理と、
をコンピュータに実行させることを特徴とする付記７、１２、１３のいずれか１つに記載の広告出力プログラム。
（付記１５）
前記第３の属性情報を用いて、出力部に出力する指示メッセージを生成する処理を、コンピュータに実行させることを特徴とする付記１４に記載の広告出力プログラム。
【符号の説明】
【０１１３】
１  入力部
２  制御部
３  出力部
４  第２の出力部
２１  処理部
２２  属性認識部
２３  属性条件判定部
２４  視聴指示部
２５  グループ確認部
２６  記録部
１４００  表示画面
１４０１  広告表示領域
１４０２  属性条件表示領域
１８００  ハードウェア
１８０２  記録部
１８０３  記録媒体読取装置
１８０４  入出力インタフェース
１８０５  通信インタフェース
１８０６  バス
１８０７  記録媒体
１８０８  入出力装置
【図１】
2011215369.tif 000003
【図２】
2011215369.tif 000004
【図３】
2011215369.tif 000005
【図４】
2011215369.tif 000006
【図５】
2011215369.tif 000007
【図６】
2011215369.tif 000008
【図７】
2011215369.tif 000009
【図８】
2011215369.tif 000010
【図９】
2011215369.tif 000011
【図１０】
2011215369.tif 000012
【図１１】
2011215369.tif 000013
【図１２】
2011215369.tif 000014
【図１３】
2011215369.tif 000015
【図１４】
2011215369.tif 000016
【図１５】
2011215369.tif 000017
【図１６】
2011215369.tif 000018
【図１７】
2011215369.tif 000019
【図１８】
2011215369.tif 000020